(57)【特許請求の範囲】
【請求項１】
矩形状の躯体と、該躯体の内部空間で対角線状に設けられた所望厚さの斜材と、前記躯体の四隅の円弧状の角部とからなる所望幅のコンクリートブロックと、
梁若しくは柱から突出するコッターを差し入れると共にグラウト用の凹部が設けられる梁・柱用の接合ブロックと、
柱若しくは床に敷設するものでグラウト注入用及びコッター差込用に上下に貫通する貫通孔を有した柱・床用接合ブロックとで、
上下左右のいずれかに隣接するコンクリートブロックによる隅部の円形空間部若しくは半円形空間部に円柱状の接合ピンを介在させて組積みすること、
を特徴とするコンクリートブロックによる耐震補強工法。
【請求項２】
コンクリートブロックは、地震力の伝達に対応させるべくＶ字型，ダブルＸ型，逆Ｖ字型のいずれか一つに配置されると共に、他の空所には矩形状の躯体と斜材のない枠体のみの簡易ユニットブロックを配置すること、
を特徴とする請求項１に記載のコンクリートブロックによる耐震補強工法。
【発明の詳細な説明】
【技術分野】
【０００１】
本発明は、既存の建物に対する耐震補強として、コンクリートブロックによる耐震補強工法に関するものである。
【背景技術】
【０００２】
従来、既存建物を耐震補強する工法としては、例えば、図１６に示すように、鉄筋１２を組んでこれをアンカー筋１０やスパイラル筋１１で柱４や梁５に固定してコンクリートを打設して補強する工法や、柱梁及び床に囲まれた面内に接着材で一体化しながらブロックを積んで壁を構築する工法が知られている（特許文献１参照）。また、鉄製の短い角筒体からなる多数のブロックを積み重ねて耐力壁を構築し、施工容易性を高めて重量増加が少ない補強方法知られている（特許文献２参照）。
【０００３】
【特許文献１】特開平１０−２９２６３９号公報
【特許文献２】特開平１１−０７１９０７号公報
【発明の開示】
【発明が解決しようとする課題】
【０００４】
しかし、従来のコンクリートブロックまたは鉄製ブロックの組積みによる耐震補強工法では、例えば、接着材によるブロックの組積みでは、接着材の施工による接着強度のバラツキや、接着材の取り扱いに熟練を要する。また、全てのブロックを接着するためコスト高となる。
一方、鉄製ブロックでは、角ブロックの接合にボルト及びナットを使用するので、その分手間が掛かる。更に、特定箇所のブロックにはその内部空間にモルタル・コンクリートなどの充填材を充填するので、手間と費用とが嵩むとともに、ブロック組積みにより不透明な壁ができて、室間の見通しが悪く通風や採光に劣ることになるとともに、細かく仕切られることで居住者や使用者にとって室内が狭く感じられ閉塞感を感じてしまう。
本発明に係るコンクリートブロックによる耐震補強工法は、このような課題を解決するために提案されたものである。
【課題を解決するための手段】
【０００５】
本発明に係る繊維補強コンクリートブロックによる耐震補強工法の上記課題を解決して目的を達成するための要旨は、矩形状の躯体と、該躯体の内部空間で対角線状に設けられた所望厚さの斜材と、前記躯体の四隅の円弧状の角部とからなる所望幅のコンクリートブロックと、梁若しくは柱から突出するコッターを差し入れると共にグラウト用の凹部が設けられる梁・柱用の接合ブロックと、柱若しくは床に敷設するものでグラウト注入用及びコッター差込用に上下に貫通する貫通孔を有した柱・床用接合ブロックとで、上下左右のいずれかに隣接するコンクリートブロックによる隅部の円形空間部若しくは半円形空間部に円柱状の接合ピンを介在させて組積みすることである。
また、前記コンクリートブロックは、地震力の伝達に対応させるべくＶ字型，ダブルＸ型，逆Ｖ字型のいずれか一つに配置されると共に、他の空所には矩形状の躯体と斜材のない枠体のみの簡易ユニットブロックを配置することを含むものである。
【発明の効果】
【０００７】
本発明の繊維補強コンクリートブロックによる耐震補強工法によれば、矩形状の躯体と、該躯体の内部空間で対角線状に設けられた所望厚さの斜材と、前記躯体の四隅の円弧状の角部とからなる所望幅のコンクリートブロックを組積みするだけなので、工期が短縮されるとともに、大がかりな工事用スペースを必要とせず、既存の建物を通常通りに使用しながら、作業時間などの制約もなく耐震補強工事ができる。
【０００８】
こうして、従来工法のような、コンクリートブロックへの型枠の取付けやその解体、モルタル等のポンプ車による充填作業など、大がかりな作業は本発明に工法では不要となって、騒音や振動及び塵埃の発生がない。よって、騒音や振動及び塵埃などを特に嫌う病院や医療施設、デパート、オフィスビル等において、安心して耐震補強工事ができる。
【０００９】
既存躯体がＳＲＣ（鉄骨鉄筋コンクリート構造）で鉄筋アンカーを打設できない場合でも、本補強工法ではコンクリートブロックを組積みするだけなので可能である。
更に、コンクリートブロックは、内部空間部が斜材部分を除いて貫通孔となっているので、通風及び採光が可能であり、意匠性にも優れている。
【００１０】
柱又は梁と、組積みされるコンクリートブロックとの間には、前記柱又は梁から突出するコッターを差し入れる凹部が設けられた接合ブロックが配設されるので、既存建物との一体化が容易となる。
前記コンクリートブロックは、高強度繊維補強コンクリートブロックなので、強度の点においても十分な補強効果が得られる。
【発明を実施するための最良の形態】
【００１１】
本発明に係るコンクリートブロックによる耐震補強工法は、まず、コンクリートブロック（ユニットブロックと称する）１を用意する。このコンクリートブロック１は、図１（Ａ），（Ｂ）に示すように、矩形状の躯体１ａと、該躯体１ａの内部空間で対角線状に設けられた所望厚さの斜材１ｂと、図１（Ｃ）に示すように、前記躯体１ａの四隅の円弧状の角部１ｃとからなる。
【００１２】
前記ユニットブロック１の大きさは、例えば、縦・横が４００×４００ｍｍ、幅が１６０ｍｍである。斜材１ｂの板厚が３０ｍｍで、躯体の枠材１ａが２０ｍｍである。また、このコンクリートブロック１は、高強度繊維補強コンクリートブロックである。
【００１３】
次に、図２（Ａ），（Ｂ）に示すように、柱又は梁と、組積みされるユニットブロック１との間に配設されるもので、前記柱又は梁から突出するコッターを差し入れる凹部が設けられた接合ブロック２を用意する。この接合ブロック２は、例えば、柱用若しくは床に敷設するものである場合には、同図２（Ａ）に示すように、グラウト注入用で上下に貫通する貫通孔２ｃを有した接合ブロック２ａであり、梁若しくは柱用には、同図２（Ｂ）に示すように、グラウト用の凹部２ｄを有した梁用接合ブロック２ｂである。また、この接合ブロック２の高さｈは、既存躯体の高さやグラウト代を考慮して、例えば、１２０，１８０，２４０，３００（ｍｍ）などの複数のパターンを用意する。
【００１４】
また、前記ユニットブロック１の幅は、前記ユニットブロック１と同じで１６０ｍｍである。更に、この接合ブロック２も高強度繊維補強コンクリートブロックである。角部２ｂは、前記角部１ｃと同様である。
【００１５】
図３乃至図４に示すように、前記ユニットブロック１を組積みした際には、その上下左右のいずれかに隣接する前記ユニットブロック１による隅部の円形空間部若しくは半円形空間部に、中実で円柱状の接合ピン３が介在される。この接合ピン３は、金属製若しくは高強度繊維補強コンクリートブロックであり、長さは前記ユニットブロック１の幅に合わせて１６０ｍｍであり、その直径は、前記角部１ｃで形成される円形空間にちょうど収まる寸法である。また、この接合ピン３は、接着材で前記ユニットブロック１に接合される。
【００１６】
前記接合ブロック２ａ，２ｂの固定のために、図３に示すように、柱４，梁５，床７から空間部に突出させた鋼管コッター６がある。これによって、ユニットブロック１，接合ブロック２と、既存躯体（柱４・梁５，床７）との接合を行う。
【００１７】
上記ユニットブロック１，接合ブロック２によって、本発明に係る耐震補強工法について説明する。まず、図４に示すように、既存躯体の柱４と梁５及び床７にそれぞれ必要な鋼管コッター６を設置する。
【００１８】
次に、図５乃至図６に示すように、床７の上に、レベル調節用の敷モルタル１３を敷設して、その上に接合ブロック２ａを接着材により接着しながら水平方向に設置する。そして、図７に示すように、前記接合ブロック２ａの貫通孔２ｃからグラウトモルタル１４を注入する。なお、前記接合ブロック２ａ，２ｂと、ユニットブロック１との組積みにおいて、コンクリートブロック同士の接合には、接着材による場合もあるし、接着材を使用しない場合もある。
【００１９】
その後、図８に示すように、左端からスペーサ１５に沿わせて、調整ブロックとして前記接合ブロック２ｂを載置し、それを接着材で固定しながら、前記床７に敷設した接合ブロック２ａの上に、図中の施工方向に沿ってユニットブロック１を組積みする。角部１ｃには接合ピン３が接着材で隣接するユニットブロック１と接合される。
【００２０】
次に、ユニットブロック１の施工が右端にきた場合には、鋼管コッター６に、調整ブロックとしての接合ブロック２ａを先にはめ込む。そして、右端のユニットブロック１を挿入後に、前記接合ブロック２ａを左方向に移動させて押さえつける。これを繰り返して、図９に示すように、最上段の１つ手前まで遂行する。
【００２１】
図９に示すように、最上段では、左側において、梁５の鋼管コッター６に調整ブロックとしての接合ブロック２ｂを先行して配設し、ユニットブロック１を挿入し、その後に、前記接合ブロック２ｂを落とし込む。これらを接着材で固定する。前記接合ブロック２ｂの先行配設とユニットブロック１との配設を、施工方向に沿って繰り返していく。
【００２２】
図１０に示すように、ユニットブロック１の施工が右端にきた場合には、柱４の鋼管コッター６に接合ブロック２ａを先行させ、次に、梁５の鋼管コッター６に接合ブロック２ｂを配設して、ユニットブロック１を挿入する。そして、前記接合ブロック２ａを左方向に押しつけ、前記接合ブロック２ｂを落とし込む。
【００２３】
次に、図１１に示すように、左右両端部に、上下方向に側面型枠１６を設ける。そして、調整代と接合ブロック２ａ，２ｂの凹部や貫通孔に、グラウトモルタル１４を下から最上段まで圧入する。
【００２４】
更に、図１２に示すように、梁下型枠１７を設けて、この中に、グラウトモルタル１４を圧入する。これにより、上段の左右角部の空間と、調整代と、接合ブロック２ｂの凹部２ｄとにそれぞれグラウトモルタル１４が充填されるものである。
【００２５】
このようなユニットブロック１と接合ブロック２ａ，２ｂと、接合ピン３とにより、既存建物を耐震補強することで、図１３に示すように、補強強度が十分であるとともに、通風が良く、採光にも優れた補強工法となる。
【００２６】
この補強工事においては、ユニットブロック１を組積みした後、簡易な設備で高強度グラウトを流し込むだけなので、狭い作業スペースでの施工が可能となる。よって、補強工事のために機器・家財の移動や養生を最小限に抑えることができる。また、既存建物を使用しながら補強工事が容易にできるので、作業時間の制約が少なくなり、工期も従来工法鉄筋コンクリート耐震壁の場合に比べて約２／３程度に短縮され、安全性も向上する。
【００２７】
前記ユニットブロック１の強度は、図１４に示すように、例えば、Ｋ型ブレースの強度曲線ａに対して、枠体の大きさが４００ｍｍで、斜材板厚４０ｍｍ，枠体板厚２０ｍｍの場合が強度曲線ｂ、斜材板厚６０ｍｍ，枠体板厚３０ｍｍの場合が強度曲線ｃである。かかる強度で、例えば、変形角１／２５０で見ると、Ｋ型ブレースと同等かそれ以上の耐力を前記ユニットブロック１が有しているのが判る。
【００２８】
また、コンクリートブロックの積み方においては、図１５に示すように、基本的なタイプとしては、図１５（Ａ）に示すように、前記ユニットブロック１を縦・横に積むものであるが、これに限らす、同図１５（Ｂ）に示すように、地震時の力の伝達を考慮して無駄を省くために、ユニットブロック１をＶ字型に配置するもの、同図１５（Ｃ）に示すように、ダブルＸ型にするもの、同図１５（Ｄ）に示すように、逆Ｖ字型にする組積みの場合も提案される。そして、他の空所には、斜材のない枠体のみの簡易ユニットブロック８にするものである。このようにすることで、コンクリートブロックの製造費としてのコストが低減されるとともに、十分な耐震性も確保されるものである。
【図面の簡単な説明】
【００２９】
【図１】本発明におけるコンクリートブロック（ユニットブロック）１の正面図、側面図（Ｂ）、一部拡大図（Ｃ）である。
【図２】同本発明における接合ブロック２の正面図である。
【図３】本発明に係るユニットブロック１による補強工法の説明図である。
【図４】同本発明に係るユニットブロック１による補強工法を説明する説明図である。
【図５】同本発明に係るユニットブロック１による補強工法を説明する説明図である。
【図６】同本発明に係るユニットブロック１による補強工法を説明する説明図である。
【図７】同本発明に係るユニットブロック１による補強工法を説明する説明図である。
【図８】同本発明に係るユニットブロック１による補強工法を説明する説明図である。
【図９】同本発明に係るユニットブロック１による補強工法を説明する説明図である。
【図１０】同本発明に係るユニットブロック１による補強工法を説明する説明図である。
【図１１】同本発明に係るユニットブロック１による補強工法を説明する説明図である。
【図１２】同本発明に係るユニットブロック１による補強工法を説明する説明図である。
【図１３】同本発明に係るコンクリートブロックによる補強工法の説明図である。
【図１４】ユニットブロック１の強度を示す荷重と変形の比較用曲線図である
【図１５】ユニットブロック１の組積みを示す説明図（Ａ）と、他の実施例を示す説明図（Ｂ），（Ｃ），（Ｄ）である。
【図１６】従来例に係る耐震補強工法であって、鉄筋１２で壁を構築する一例を示す説明図である。
【符号の説明】
【００３０】
１          コンクリートブロック（ユニットブロック）、
１ａ        枠体、
１ｂ        斜材、
１ｃ        角部、
２          接合ブロック、
２ａ        床用の接合ブロック、
２ｂ        梁用の接合ブロック、
２ｃ        貫通孔、
２ｄ        凹部、
３          接合ピン、
４          柱、
５          梁、
６          鋼管コッター、
７          床、
８          簡易ユニットブロック、
１０        アンカー筋、
１１        スパイラル筋、
１２        鉄筋、
１３        敷モルタル、
１４        グラウトモルタル、
１５        スペーサ、
１６        側面型枠、
１７        梁下型枠。
【図１】
0004571904.tif 000002
【図２】
0004571904.tif 000003
【図３】
0004571904.tif 000004
【図４】
0004571904.tif 000005
【図５】
0004571904.tif 000006
【図６】
0004571904.tif 000007
【図７】
0004571904.tif 000008
【図８】
0004571904.tif 000009
【図９】
0004571904.tif 000010
【図１０】
0004571904.tif 000011
【図１１】
0004571904.tif 000012
【図１２】
0004571904.tif 000013
【図１３】
0004571904.tif 000014
【図１４】
0004571904.tif 000015
【図１５】
0004571904.tif 000016
【図１６】
0004571904.tif 000017